(57)【要約】【課題】傘としての機能を維持しつつ、折畳時の形状を大幅に細径化して携帯の利便性を高めた折畳式傘を提供する。【解決手段】伸縮式中棒１０の上端部に固定された上ロクロ２１と、上ロクロ２１の下方にて上記中棒１０に摺動自在に案内される下ロクロ２２と、下ロクロ２２の上下移動に連動して屈伸させられる折畳式親骨４０とを備えた折畳式傘において、折畳状態にある親骨４０の逆Ｕ字状折曲部７１の最上端を上ロクロ２１の下側に位置させ、Ｕ字状折曲部７２の最下端を下ロクロ２２の上側に位置させる。【選択図】図１
2007143636.tif 000002
【特許請求の範囲】
【請求項１】
伸縮式中棒の上端部に固定された上ロクロと、上ロクロの下方にて上記中棒に摺動自在に案内される下ロクロと、下ロクロの上下移動に連動して屈伸させられる折畳式親骨とを備えた折畳式傘において、折畳状態にある親骨の逆Ｕ字状折曲部の最上端が上ロクロの下側に位置することを特徴とする折畳式傘。
【請求項２】
請求項１において、折畳状態にある親骨のＵ字状折曲部の最下端が下ロクロの上側に位置することを特徴とする折畳式傘。
【請求項３】
請求項１または２において、親骨は、元親骨、中親骨、先親骨に３分割され、親骨が折り畳まれた状態のときに、先親骨の基端が上ロクロの下側に位置することを特徴とする折畳式傘。
【請求項４】
請求項３において、親骨が折り畳まれた状態のときに、中親骨の基端が下ロクロの上側に位置することを特徴とする折畳式傘。
【請求項５】
請求項４において、下ロクロに枢支された受骨がＵ字状断面の金具で形成されるとともに、このＵ字状の溝に中親骨の基端側が嵌入することを特徴とする折畳式傘。
【発明の詳細な説明】
【技術分野】
【０００１】
本発明は折畳式傘に関し、たとえば３分割の親骨を備えた３つ折り式の折畳式傘に適用して有効なものに関する。
【背景技術】
【０００２】
折畳式傘は、図４に示すように、伸縮式中棒１０、上ロクロ２１、下ロクロ２２、折畳式親骨４０、受骨４５などによって構成されている。伸縮式中棒１０は入れ子パイプによる３段伸縮式であって、上端には石突１１、下端には手先１２がそれぞれ取り付けられている。また、下ロクロ２２を開傘位置に係脱自在に係止するためのハジキ１３が取り付けられている。
【０００３】
上ロクロ２１は伸縮式中棒１０の上部に固定され、下ロクロ２２は上ロクロ２１の下方にて上記中棒１０に摺動自在に案内される。上ロクロ２１は親骨４０の基端、下ロクロ２２は受骨４５の基端（下端）をそれぞれ枢支する。
【０００４】
親骨４０は、元親骨４１、中親骨４２、先親骨４３の３本分割構成であって、元親骨４１の基端部が上ロクロ２１に枢支されている。中親骨４２の基端部にはダボ金具６１が取り付けられ、このダボ金具６１に元親骨４１とワイヤー状連棹５１がそれぞれ枢支されている。先親骨４３の先端には露先４３１が設けられている。
【０００５】
受骨４５と元親骨４１の間にはワイヤー状連棹５１が架橋装設されて、一種の平行リンク機構が形成されている。元親骨４１と先親骨４３の間にはワイヤーバネ（バネ直線）５２が架橋装設されるとともに、このワイヤーバネ５２の中間部が中親骨４２の中間部に遊動可能に拘束されている。この連棹５１およびワイヤーバネ５２により、親骨４０の屈伸動作を下ロクロ２２の上下移動に、バネアクションをともないながら従動させるようになっている（たとえば、特許文献１参照）。
【特許文献１】特開２００３−１８９９１６
【発明の開示】
【発明が解決しようとする課題】
【０００６】
この種の折畳式傘では、傘としての機能を維持しつつ、折畳時の携帯性（携帯の便宜性）を高めることが最大の課題となっている。たとえば、カバンや書類ケースなどに収容して携帯するためには、折畳時の形状をできるだけ細くすることが望ましい。折畳時の形状は、親骨４０を細くすることでもある程度細くすることができるが、構造強度の低下をともなうため、その細径化には限度がある。
【０００７】
ここで、本発明者は、たとえば図４に示した従来の折畳式傘について、次のような問題点のあることをあきらかにした。すなわち、従来の折畳式傘は、同図に示すように、折畳状態にある親骨４０の逆Ｕ字状折曲部７１が上ロクロ２１の外周囲に外側から重なって位置するようになっていた（同図のＡ−Ａ切断面図参照）。
【０００８】
このため、折畳時の外径は、上ロクロ２１の外径に逆Ｕ字状折曲部７１の厚さ（太さ）を加えた外径よりも小さくすることはできず、このことが、折畳時の形状を細径化する上で大きな支障となっていた。
【０００９】
さらに、同図に示した折畳式傘では、下ロクロ２２の外周囲にも、折畳状態にある親骨４０のＵ字状折曲部７２が外側に重なって位置するようになっていた（同図のＢ−Ｂ切断面図参照）。このことも、折畳時の形状を細径化する上で大きな支障となっていた。
【００１０】
本発明は以上のような問題を鑑みてなされたものであり、その目的は、傘としての機能を維持しつつ、折畳時の形状を大幅に細径化（スリム化）して携帯の利便性を高められるようにした折畳式傘を提供することにある。
【００１１】
本発明の上記以外の目的および構成については、本明細書の記述および添付図面からあきらかになるであろう。
【課題を解決するための手段】
【００１２】
本発明が提供する解決手段は以下のとおりである。
【００１３】
（１）伸縮式中棒の上端部に固定された上ロクロと、上ロクロの下方にて上記中棒に摺動自在に案内される下ロクロと、下ロクロの上下移動に連動して屈伸させられる折畳式親骨とを備えた折畳式傘において、折畳状態にある親骨の逆Ｕ字状折曲部の最上端が上ロクロの下側に位置することを特徴とする折畳式傘。
【００１４】
（２）上記手段（１）において、折畳状態にある親骨のＵ字状折曲部の最下端が下ロクロの上側に位置することを特徴とする折畳式傘。
【００１５】
（３）上記手段（１）または（２）において、親骨は、元親骨、中親骨、先親骨に３分割され、親骨が折り畳まれた状態のときに、先親骨の基端が上ロクロの下側に位置することを特徴とする折畳式傘。
【００１６】
（４）上記手段（３）において、親骨が折り畳まれた状態のときに、中親骨の基端が下ロクロの上側に位置することを特徴とする折畳式傘。
【００１７】
（５）上記手段（４）において、下ロクロに枢支された受骨がＵ字状断面の金具で形成されるとともに、このＵ字状の溝に中親骨の基端側が嵌入することを特徴とする折畳式傘。
【発明の効果】
【００１８】
傘としての機能を維持しつつ、折畳時の形状を大幅に細径化して携帯の利便性を高めた折畳式傘を提供できる。
【００１９】
上記以外の作用／効果については、本明細書の記述および添付図面からあきらかになるであろう。
【発明を実施するための最良の形態】
【００２０】
図１は、本発明に係る折畳式傘の一実施形態を示す。同図に示す折畳式傘は、伸縮式中棒１０、上ロクロ２１、下ロクロ２２、折畳式親骨４０、受骨４５などによって構成されている。伸縮式中棒１０は入れ子パイプによる３段伸縮式であって、上端には石突１１、下端にはカップ状の手先１２がそれぞれ取り付けられている。また、下ロクロ２２を開傘位置に係脱自在に係止するためのハジキ１３が取り付けられている。
【００２１】
上ロクロ２１は伸縮式中棒１０の上部に固定され、下ロクロ２２は上ロクロ２１の下方にて上記中棒１０に摺動自在に案内される。上ロクロ２１は親骨４０の基端、下ロクロ２２は受骨の基端（下端）をそれぞれ枢支する。
【００２２】
親骨４０は、元親骨４１、中親骨４２、先親骨４３の３本分割構成であって、元親骨４１の基端部が上ロクロ２１に枢支されている。中親骨４２の基端部にはダボ金具６１が取り付けられ、このダボ金具６１に元親骨４１とワイヤー状連棹５１がそれぞれ枢支されている。先親骨４３の先端には露先４３１が設けられている。
【００２３】
受骨４５と元親骨４１の間にはワイヤー状連棹５１が架橋装設されて、一種の平行リンク機構が形成されている。元親骨４１と先親骨４３の間にはワイヤーバネ（バネ直線）５２が架橋装設されるとともに、このワイヤーバネ５２の中間部はループ部５２１にて中親骨４２の中間部に遊動可能に拘束されている。この連棹５１およびワイヤーバネ５２により、親骨４０の屈伸動作を下ロクロ２２の上下移動に、バネアクションをともないながら従動させるようになっている。
【００２４】
ここで、この実施形態の折畳式傘では、図１と図２に示すように、親骨４０が折り畳まれたときに、上ロクロ２１側に位置する逆Ｕ字状折曲部７１の最上端が、その上ロクロ２１の下側に位置するように構成されている（図２のＡ−Ａ切断面図参照）。また、下ロクロ２２側に位置するＵ字状折曲部７２の最下端が、その下ロクロ２２の上側に位置するように構成されている（図２のＢ−Ｂ切断面図参照）。
【００２５】
具体的には、親骨４０が折り畳まれた状態のときに、先親骨４３の基端（７１）が上ロクロ２１の下側に位置する。また、中親骨４２の基端（７２）が下ロクロ２２の上側に位置する。
【００２６】
これにより、傘の折畳時には、親骨４０の主要部分、すなわち元親骨４１と中親骨４２がロクロ２１，２２の外径に近い径にまで細く折り畳まれるようになる。この結果、図３の（ａ）に示すように、傘としての機能を維持しつつ、折畳時の形状を大幅に細径化して携帯の利便性を高めることができる。
【００２７】
さらに、上記実施形態では、下ロクロ２２に枢支された受骨４５がＵ字状断面の金具で形成されるとともに、このＵ字状の溝に中親骨４２の基端側がダボ金具６１と共に嵌入するようになっている（図２のＢ−Ｂ切断面図参照）。この構成により、下ロクロ２２側での折畳径を安定な状態でさらに細径化させることができる。
【００２８】
なお、図２では中棒１０が完全収縮状態よりもわずかに長く延びているため、先親骨４３の露先４３１が見えているが、中棒１０を完全に収縮させた状態では、その露先４３１がカップ状の手先１２に収納されることにより、折畳状態が係止・固定されるようになっている。
【００２９】
図３の（ａ）は、図１および図２に示した本発明の折畳式傘の折畳外観を示す。また、同図の（ｂ）は、図３に示した従来の折畳式傘の折畳外観を示す。（ａ）に示す折畳式傘は、親骨４０の主要部分が上ロクロ２１および下ロクロ２２の外径に近いところまで細く折り畳まれることにより、同図の（ｂ）に示すものに比べて大幅な細径化が達成されている。
【００３０】
以上、本発明をその代表的な実施例に基づいて説明したが、本発明は上述した以外にも種々の態様が可能である。たとえば、本発明は、３つ折り式以外に、４つ折り式の折畳式傘にも適用して有効である。
【産業上の利用可能性】
【００３１】
傘としての機能を維持しつつ、折畳時の形状を大幅に細径化して携帯の利便性を高めた折畳式傘を提供できる。
【図面の簡単な説明】
【００３２】
【図１】本発明による折畳式傘の一実施形態を示す省略側面図である。
【図２】本発明による折畳式傘の折畳状態を示す省略側面図および要部切断面図である。
【図３】本発明の折畳式傘の折畳外観と従来の折畳式傘の折畳外観を示す斜視図である。
【図４】従来の折畳式傘の折畳状態を示す省略側面図および要部切断面図である。
【符号の説明】
【００３３】
１０  伸縮式中棒、  １１  石突、  １２  手先、  １３  ハジキ、
２１  上ロクロ、  ２２  下ロクロ、  ４０  折畳式親骨、  ４１  元親骨、
４２  中親骨、  ４３  先親骨、  ４３１  露先、  ４５  受骨、
５１  ワイヤー状連棹、  ５２  ワイヤーバネ（バネ直線）、  ５２１  ループ部、
６１  ダボ金具、  ７１  逆Ｕ字状折曲部、  ７２  Ｕ字状折曲部
【図１】
2007143636.tif 000003
【図２】
2007143636.tif 000004
【図３】
2007143636.tif 000005
【図４】
2007143636.tif 000006